(57)【要約】【課題】ＩＣカードに記録された情報の真正性を保証する真贋判定情報を、適切なタイミングで生成することのできるＩＣカード発行システム及びＩＣカード発行方法を提供する。【解決手段】ＩＣカード発行システムＳにおいて、所定のアルゴリズムに基づいて、個人情報データベース１１１に記憶された個人情報と、ＣＰＵ２１１の確定プログラム２１３３の実行により確定された顔画像情報とにより、ＩＣカードの真贋判定情報を生成する真贋判定情報生成装置３と、個人情報データベース１１１に記憶された個人情報と、ＣＰＵ２１１の確定プログラム２１３３の実行により確定された顔画像情報と、真贋判定情報生成装置３により生成された真贋判定情報を、ＩＣチップに記録する記録部４２２と、を備えるよう構成した。【選択図】図１
2006293895.tif 000002
【特許請求の範囲】
【請求項１】
個人情報を記憶する記憶手段と、
顔画像情報を取得する取得手段と、
前記取得手段により取得された顔画像情報を確定する確定手段と、
所定のアルゴリズムに基づいて、前記記憶手段に記憶された個人情報と、前記確定手段により確定された顔画像情報とにより、ＩＣカードの真贋判定情報を生成する生成手段と、
前記記憶手段に記憶された個人情報と、前記確定手段により確定された顔画像情報とに基づく画像を、前記ＩＣカードにプリントするプリント手段と、
前記記憶手段に記憶された個人情報と、前記確定手段により確定された顔画像情報と、前記生成手段により生成された真贋判定情報とを、前記ＩＣカードに組み込まれたＩＣチップに記録する記録手段と、
を備えることを特徴とするＩＣカード発行システム。
【請求項２】
請求項１に記載のＩＣカード発行システムにおいて、
前記取得手段により取得された顔画像情報が適正であるか否かを、所定の判断基準により判定する判定手段を備え、
前記確定手段は、前記判定手段により、前記取得手段により取得された顔画像情報が適正であると判定された場合に、当該顔画像情報を確定することを特徴とするＩＣカード発行システム。
【請求項３】
請求項２に記載のＩＣカード発行システムにおいて、
前記判定手段は、前記取得手段により取得された顔画像情報における顔が目つぶりであるか否かを判断し、当該顔画像情報における顔が目つぶりでないと判断した場合に、当該顔画像情報が適正であると判定することを特徴とするＩＣカード発行システム。
【請求項４】
請求項１に記載のＩＣカード発行システムにおいて、
前記取得手段により取得された顔画像情報を確定する旨を入力する入力手段を備え、
前記確定手段は、前記入力手段により、前記取得手段により取得された顔画像情報を確定する旨が入力された場合に、当該顔画像情報を確定することを特徴とするＩＣカード発行システム。
【請求項５】
請求項１〜４の何れか一項に記載のＩＣカード発行システムを用いたＩＣカード発行方法において、
前記取得手段が、顔画像情報を取得する取得ステップと、
前記確定手段が、前記取得ステップにおいて取得された顔画像情報を確定する確定ステップと、
前記生成手段が、所定のアルゴリズムに基づいて、前記記憶手段に記憶された個人情報と、前記確定ステップにおいて確定された顔画像情報とにより、真贋判定情報を生成する生成ステップと、
前記プリント手段が、前記記憶手段に記憶された個人情報と、前記確定ステップにおいて確定された顔画像情報とに基づく画像を、前記ＩＣカードにプリントするプリントステップと、
前記記録手段が、前記記憶手段に記憶された個人情報と、前記確定ステップにおいて確定された顔画像情報と、前記生成ステップにおいて生成された真贋判定情報とを、前記ＩＣチップに記録する記録ステップと、
を備えることを特徴とするＩＣカード発行方法。
【発明の詳細な説明】
【技術分野】
【０００１】
本発明は、ＩＣカード発行システム及びＩＣカード発行方法に関する。
【背景技術】
【０００２】
運転免許証や社員証などの各種ＩＤカードは、社会生活の上で一般化し、欠くことのできないものとなっている。ＩＤカードを作成するＩＤカード発行システムは、例えば、申請者の個人情報を記憶するホストコンピュータ、申請者の顔写真の顔画像情報を取得する撮影装置、ホストコンピュータに記憶された個人情報と撮影装置に取得された顔画像情報とに基づいてＩＤカードに文字と顔写真とをプリントするプリンタなどから構成されている（特許文献１，２，３，４）。
【特許文献１】特開平７−８９２７２号公報
【特許文献２】特開平１１−３０１１５２号公報
【特許文献３】特開平１１−３２１１６８号公報
【特許文献４】特開２００２−２６９５０４号公報
【発明の開示】
【発明が解決しようとする課題】
【０００３】
ところで、近年、ＩＤカードの電子化（ＩＣカード化）が急速に進行している。ＩＣカードは、従来の印字型や磁気型のＩＤカードと比較して、保持できる情報量が格段に多く、また、情報の暗号化が可能なため、偽造に強い。その一方で、ＩＣカードが保持する情報（デジタルデータ）は、高精度な編集が可能なため、改ざんがなされると、改ざん検出が難しいという問題がある。したがって、ＩＣカードには、改ざん検出のためのチェックコードや電子署名などの真贋判定情報を記録しておく必要がある。
【０００４】
本発明の課題は、ＩＣカードに記録された情報の真正性を保証する真贋判定情報を、適切なタイミングで生成することのできるＩＣカード発行システム及びＩＣカード発行方法を提供することにある。
【課題を解決するための手段】
【０００５】
上記課題を解決するために、請求項１に記載の発明は、ＩＣカード発行システムにおいて、個人情報を記憶する記憶手段と、顔画像情報を取得する取得手段と、前記取得手段により取得された顔画像情報を確定する確定手段と、所定のアルゴリズムに基づいて、前記記憶手段に記憶された個人情報と、前記確定手段により確定された顔画像情報とにより、ＩＣカードの真贋判定情報を生成する生成手段と、前記記憶手段に記憶された個人情報と、前記確定手段により確定された顔画像情報とに基づく画像を、前記ＩＣカードにプリントするプリント手段と、前記記憶手段に記憶された個人情報と、前記確定手段により確定された顔画像情報と、前記生成手段により生成された真贋判定情報とを、前記ＩＣカードに組み込まれたＩＣチップに記録する記録手段と、を備えることを特徴とする。
【０００６】
請求項２に記載の発明は、請求項１に記載のＩＣカード発行システムにおいて、前記取得手段により取得された顔画像情報が適正であるか否かを、所定の判断基準により判定する判定手段を備え、前記確定手段は、前記判定手段により、前記取得手段により取得された顔画像情報が適正であると判定された場合に、当該顔画像情報を確定することを特徴とする。
【０００７】
請求項３に記載の発明は、請求項２に記載のＩＣカード発行システムにおいて、前記判定手段は、前記取得手段により取得された顔画像情報における顔が目つぶりであるか否かを判断し、当該顔画像情報における顔が目つぶりでないと判断した場合に、当該顔画像情報が適正であると判定することを特徴とする。
【０００８】
請求項４に記載の発明は、請求項１に記載のＩＣカード発行システムにおいて、前記取得手段により取得された顔画像情報を確定する旨を入力する入力手段を備え、前記確定手段は、前記入力手段により、前記取得手段により取得された顔画像情報を確定する旨が入力された場合に、当該顔画像情報を確定することを特徴とする。
【０００９】
請求項５に記載の発明は、請求項１〜４の何れか一項に記載のＩＣカード発行システムを用いたＩＣカード発行方法において、前記取得手段が、顔画像情報を取得する取得ステップと、前記確定手段が、前記取得ステップにおいて取得された顔画像情報を確定する確定ステップと、前記生成手段が、所定のアルゴリズムに基づいて、前記記憶手段に記憶された個人情報と、前記確定ステップにおいて確定された顔画像情報とにより、真贋判定情報を生成する生成ステップと、前記プリント手段が、前記記憶手段に記憶された個人情報と、前記確定ステップにおいて確定された顔画像情報とに基づく画像を、前記ＩＣカードにプリントするプリントステップと、前記記録手段が、前記記憶手段に記憶された個人情報と、前記確定ステップにおいて確定された顔画像情報と、前記生成ステップにおいて生成された真贋判定情報とを、前記ＩＣチップに記録する記録ステップと、を備えることを特徴とする。
【発明の効果】
【００１０】
請求項１に記載の発明によれば、記録手段により、ＩＣカードに組み込まれたＩＣチップに改ざん検出のための真贋判定情報を記録することができるため、発行したＩＣカードに記録された情報の真正性を保証することができる。また、確定手段により、顔画像情報を確定した後に、生成手段により、真贋判定情報を生成するため、真贋判定情報を適切なタイミングで生成することができる。
【００１１】
請求項２に記載の発明によれば、請求項１に記載の発明と同様の効果が得られることは無論のこと、判定手段により、自動的に、顔画像情報が適正であるか否かを判定することができるため、オペレータの操作負担を軽減することができる。
【００１２】
請求項３に記載の発明によれば、請求項２に記載の発明と同様の効果が得られることは無論のこと、判定手段により、自動的に、顔画像情報における顔が目つぶりであるか否かを判断することができるため、適正な顔画像情報に基づく顔画像をＩＣカードにプリントすることができるとともに、適正な顔画像情報をＩＣチップに記録することができる。
【００１３】
請求項４に記載の発明によれば、請求項１に記載の発明と同様の効果が得られることは無論のこと、オペレータが、顔画像情報が適正であるか否かを判定して、その判定結果を入力手段により入力することができるため、オペレータが所望する適正な顔画像情報に基づく顔画像をＩＣカードにプリントすることができるとともに、オペレータが所望する適正な顔画像情報をＩＣチップに記録することができる。
【００１４】
請求項５に記載の発明によれば、自動的に、真贋判定情報が、顔画像情報と個人情報とにより生成されて、ＩＣチップに記録されるため、オペレータが真贋判定情報の生成を意識しなくても、情報の真正性を保証する真贋判定情報が記録されたＩＣチップを組み込んだＩＣカードを発行することができる。
【発明を実施するための最良の形態】
【００１５】
以下、図を参照して、本発明を実施するための最良の形態を詳細に説明する。なお、発明の範囲は、図示例に限定されない。
【００１６】
[ＩＣカード発行システムの構成]
まず、ＩＣカード発行システムＳの構成を説明する。
【００１７】
ＩＣカード発行システムＳは、例えば、図１に示すように、ホストコンピュータ１、ＩＣカード作成端末２、真贋判定情報生成装置３、ＩＣカード発行端末４などを備えて構成される。ホストコンピュータ１と、ＩＣカード作成端末２と、真贋判定情報生成装置３と、ＩＣカード発行端末４とは、ネットワークを介して接続されており、互いに通信可能となっている。
なお、ネットワークは、専用線により構築された通信ネットワークであり、ＬＡＮ（Local Area Network）やＷＡＮ（Wide Area Network）などの回線形態を適用することが可能である。
また、一つのホストコンピュータ１に接続される、ＩＣカード作成端末２、真贋判定情報生成装置３、ＩＣカード発行端末４の個数は、図１の限りではなく、任意である。
【００１８】
ここで、本発明におけるＩＣカード発行システムＳは、ＩＣカードの発行を申請した申請者のＩＣカードを発行する。そして、当該発行されたＩＣカードには、ＩＣチップが組み込まれている。
【００１９】
ホストコンピュータ１は、予め記憶されたプログラムに従い、ＩＣカード発行システムＳを統括的に制御するコンピュータである。また、ホストコンピュータ１は、例えば、図１に示すように、記憶装置１１（例えば、磁気テープ装置や磁気ディスク装置などの磁気記憶装置など）を接続している。
【００２０】
記憶装置１１には、例えば、図１に示すように、個人情報データベース１１１などが記憶されている。
【００２１】
個人情報データベース１１１は、記憶手段として、個人情報を記憶する。
個人情報としては、具体的には、例えば、ＩＤ番号、住所、氏名、国籍・本籍、生年月日などがあり、それぞれは、互いに対応付けられて個人情報データベース１１１に記憶されている。
なお、個人情報データベース１１１は、ホストコンピュータ１に格納してもよいし、或いは、ネットワークを介して接続される外部装置内に格納してもよい。
また、個人情報データベース１１１には、個人情報を表すものとして、予め登録されている文字データの他に、新たに作成した欠字や外字などを表すデータを記憶するようにしてもよい。
【００２２】
ＩＣカード作成端末２は、例えば、図１に示すように、エンジニアリング・ワーク・ステーション（以下、ＥＷＳ）２１、ＩＤ番号読取装置２２、画像処理装置２３、入力装置２４などを備えている。そして、ＩＣカード作成端末２は、ＥＷＳ２１を介してネットワークに接続されている。
【００２３】
ＥＷＳ２１は、例えば、図１に示すように、ＣＰＵ２１１、ＲＡＭ２１２、記憶部２１３などを備えている。
【００２４】
ＣＰＵ２１１は、記憶部２１３に記憶されたＥＷＳ２１用の各種処理プログラムに従って各種の制御動作を行う。
【００２５】
ＲＡＭ２１２は、ＣＰＵ２１１によって実行される処理プログラムなどを展開するためのプログラム格納領域や、入力データや上記処理プログラムが実行される際に生じる処理結果などを格納するデータ格納領域などを備える。
【００２６】
記憶部２１３は、ＥＷＳ２１で実行可能なシステムプログラム、当該システムプログラムで実行可能な各種処理プログラム、これら各種処理プログラムを実行する際に使用されるデータ、ＣＰＵ２１１によって演算処理された処理結果のデータなどを記憶する。なお、プログラムは、コンピュータが読み取り可能なプログラムコードの形で記憶部２１３に記憶されている。
具体的には、記憶部２１３には、例えば、図１に示すように、記録情報データベース２１３１、判定プログラム２１３２、確定プログラム２１３３などが記憶されている。
【００２７】
記録情報データベース２１３１は、個人情報と顔画像情報と真贋判定情報とを対応付けて、一時的に記憶する。そして、ＩＣカードには、記録情報データベース２１３１に記憶される個人情報と顔画像情報とに基づく画像がプリントされ、ＩＣチップには、記録情報データベース２１３１に記憶される個人情報と顔画像情報と真贋判定情報とが記録されることとなる。
【００２８】
判定プログラム２１３２は、ＣＰＵ２１１に、取得手段としてのビデオカメラ２３１により取得された顔画像情報が適正であるか否かを、所定の判断基準により判定する機能を実現させる。
具体的には、例えば、ビデオカメラ２３１により、申請者の顔画像情報が取得されると、ＣＰＵ２１１は、判定プログラム２１３２を実行して、まず、所定の判断基準として、当該取得された顔画像情報における顔が目つぶりであるか否かを判断する。そして、ＣＰＵ２１１は、当該顔画像情報における顔が目つぶりでないと判断した場合に、当該顔画像情報が適正であると判定する。
なお、目つぶりであるか否かは、例えば、顔画像情報に含まれる濃淡情報から検出した目の特徴点（目の中央、目尻、目頭など）を解析する方法や、顔画像情報に基づく顔画像から検出した瞳領域の面積により判定する方法などによって判断される。
ＣＰＵ２１１は、かかる判定プログラム２１３２を実行することによって、判定手段として機能する。
【００２９】
確定プログラム２１３３は、ＣＰＵ２１１に、ビデオカメラ２３１により取得された顔画像情報を確定する機能を実現させる。
ＣＰＵ２１１による判定プログラム２１３２の実行により、ビデオカメラ２３１により取得された顔画像情報が適正であると判定された場合に、或いは、入力手段としての入力装置２４により、ビデオカメラ２３１により取得された顔画像情報を確定する旨が入力された場合に、ＣＰＵ２１１は、確定プログラム２１３３を実行して、当該顔画像情報を、ＩＣカードにプリントする顔画像の顔画像情報として、当該ＩＣカードに組み込まれたＩＣチップに記録する顔画像情報として確定する。
ＣＰＵ２１１は、かかる確定プログラム２１３３を実行することによって、確定手段として機能する。
【００３０】
ＩＤ番号読取装置２２は、申請者がＩＣカード発行の申請の際に提出する申請書から、当該申請者を識別するためのＩＤ番号を読み取り、ＥＷＳ２１に出力する。
具体的には、ＩＤ番号読取装置２２は、例えば、オペレータによってＩＤ番号読取装置２２に設けられた読取開始ボタン（図示省略）が押下されると、申請書からＩＤ番号を読み取る。
ＩＤ番号読取装置２２としては、例えば、ＩＤ番号が、申請書に文字情報として記録される場合は、光学式文字読取装置（ＯＣＲ装置）を用いることができ、申請書にバーコードとして記録される場合は、バーコードリーダを用いることができ、申請書に磁気記録される場合は、磁気読取装置を用いることができる。
なお、ＩＤ番号は、申請書から読み取るだけでなく、例えば、申請者が現在使用している旧ＩＣカードや旧ＩＤカードなどから読み取ってもよい。
また、ＩＤ番号読取装置２２による、申請書や旧ＩＣカードなどからのＩＤ番号の読み取りが、例えば、汚れなどのために不可能な場合は、オペレータが入力装置２４を操作して、ＩＤ番号を入力するようにしてもよい。
【００３１】
画像処理装置２３は、例えば、図１に示すように、ビデオカメラ２３１、ＴＶモニタ２３２などを接続している。画像処理装置２３は、ビデオカメラ２３１により取得された顔画像情報（アナログビデオ信号）を、デジタル化して、フレームメモリ（図示省略）に格納した後、ＥＷＳ２１に出力する。
【００３２】
ビデオカメラ２３１は、取得手段として、申請者の顔画像情報を取得する。
具体的には、ビデオカメラ２３１は、例えば、オペレータによってビデオカメラ２３１に設けられた撮影開始ボタン（図示省略）が押下されると、申請者の顔を中心とした胸像を撮影して、申請者の顔画像情報を取得する。
なお、ビデオカメラ２３１は、例えば、オートフレーミング装置（図示省略）を備えていてもよい。オートフレーミング装置（図示省略）は、申請者の顔が、撮影画面内の基準位置に位置するよう、ビデオカメラ２３１の向きを上下左右に移動させることができる。したがって、例えば、申請者毎にビデオカメラ２３１の向きを移動させるといったオペレータの作業負担を軽減させることができ、さらに、顔画像情報の取得作業を無人化することも可能となる。
【００３３】
ＴＶモニタ２３２は、ビデオカメラ２３１により取得した顔画像情報に基づく顔画像を表示する。オペレータは、ＴＶモニタ２３２に表示された顔画像を見て、当該顔画像の顔画像情報を、ＩＣカードにプリントする顔画像の顔画像情報として、当該ＩＣカードに組み込まれたＩＣチップに記録する顔画像情報として確定するか否かを判断することができる。
【００３４】
入力装置２４は、例えば、カーソルキー、文字／数字キー、各種機能キーなどから構成され、オペレータのキー操作に伴う押下信号をＥＷＳ２１に出力する。
具体的には、入力装置２４は、例えば、入力手段として、オペレータが、ビデオカメラ２３１により取得された顔画像情報を確定する旨を入力する際に使用される。
【００３５】
真贋判定情報生成装置３は、生成手段として、予め記憶されたプログラムに従い、所定のアルゴリズムに基づいて、個人情報データベース１１１に記憶された個人情報と、ＣＰＵ２１１の確定プログラム２１３３の実行により確定された顔画像情報とにより、ＩＣカードの真贋判定情報を生成する。
真贋判定情報としては、具体的には、例えば、チェックコードや電子署名などが挙げられる。また、所定のアルゴリズムとしては、具体的には、例えば、ＲＳＡ（Rivest Shamir Adleman）などの暗号方式などが挙げられる。
【００３６】
ＩＣカード発行端末４は、例えば、図１に示すように、ＥＷＳ４１、ＩＣカード発行装置４２などを備えている。そして、ＩＣカード発行端末４は、ＥＷＳ４１を介してネットワークに接続されている。
【００３７】
ＥＷＳ４１は、例えば、図１に示すように、ＣＰＵ４１１、ＲＡＭ４１２、記憶部４１３などを備えている。
【００３８】
ＣＰＵ４１１は、記憶部４１３に記憶されたＥＷＳ４１用の各種処理プログラムに従って各種の制御動作を行う。
【００３９】
ＲＡＭ４１２は、ＣＰＵ４１１によって実行される処理プログラムなどを展開するためのプログラム格納領域や、入力データや上記処理プログラムが実行される際に生じる処理結果などを格納するデータ格納領域などを備える。
【００４０】
記憶部４１３は、ＥＷＳ４１で実行可能なシステムプログラム、当該システムプログラムで実行可能な各種処理プログラム、これら各種処理プログラムを実行する際に使用されるデータ、ＣＰＵ４１１によって演算処理された処理結果のデータなどを記憶する。なお、プログラムは、コンピュータが読み取り可能なプログラムコードの形で記憶部４１３に記憶されている。
【００４１】
ＩＣカード発行装置４２は、ＥＷＳ４１からの制御に従って、ＩＣカードを作成して発行する。
具体的には、ＩＣカード発行装置４２は、例えば、図１に示すようにプリント部４２１、記録部４２２などを備えている。
【００４２】
プリント部４２１は、プリント手段として、個人情報データベース１１１に記憶された個人情報と、ＣＰＵ２１１による確定プログラム２１３３の実行により確定された顔画像情報とに基づく画像を、ＩＣカードにプリントする。
具体的には、プリント部４２１は、例えば、個人情報データベース１１１から取得され、記録情報データベース２１３１に記憶された個人情報に基づく画像と、ＣＰＵ２１１による確定プログラム２１３３の実行により確定され、記録情報データベース２１３１に記憶された顔画像情報に基づく画像とを、ＩＣカードにプリントする。
【００４３】
記録部４２２は、記録手段として、個人情報データベース１１１に記憶された個人情報と、ＣＰＵ２１１による確定プログラム２１３３の実行により確定された顔画像情報と、真贋判定情報生成装置３により生成された真贋判定情報を、ＩＣカードに組み込まれたＩＣチップに記録する。記録部４２２は、例えば、リーダ／ライタユニット（Ｒ／Ｗユニット）などから構成される。
具体的には、記録部４２２は、例えば、個人情報データベース１１１から取得され、記録情報データベース２１３１に記憶された個人情報と、ＣＰＵ２１１による確定プログラム２１３３の実行により確定され、記録情報データベース２１３１に記憶された顔画像情報と、真贋判定情報生成装置３により生成され、記録情報データベース２１３１に記憶された真贋判定情報とを、ＩＣチップに記録する。
なお、ＩＣチップに記録する情報（特に、顔画像情報）は、圧縮処理されていてもよい。また、当該圧縮処理は、画像処理装置２３で行ってもよいし、記録部４２２で行ってもよい。
【００４４】
[ＩＣカード発行処理]
次に、ＩＣカード発行システムＳによるＩＣカードの発行に関する処理について、図２のフローチャートを参照して説明する。
【００４５】
まず、オペレータによるＩＣカード作成端末２のビデオカメラ２３１に対する所定の操作（撮影開始ボタンの押下など）に基づいて、ビデオカメラ２３１により申請者の顔画像情報が取得されると（ステップＳ１）、ＩＣカード作成端末２の画像処理装置２３は、当該取得された顔画像情報をフレームメモリ（図示省略）に格納し（ステップＳ２）、当該顔画像情報をＩＣカード作成端末２のＥＷＳ２１に出力する。
【００４６】
画像処理装置２３から出力された顔画像情報が入力されると、ＥＷＳ２１のＣＰＵ２１１は、判定プログラム２１３２を実行して、当該顔画像情報における顔が目つぶりであるか否かを判断して、当該顔画像情報が適正であるか否かを判定する（ステップＳ３）。
【００４７】
ステップＳ３で、顔画像情報における顔が目つぶりであると判断して、当該顔画像情報が適正でないと判定すると（ステップＳ３；Ｎｏ）、ＣＰＵ２１１は、ステップＳ１以降の処理を繰り返して行う。
【００４８】
一方、ステップＳ３で、顔画像情報における顔が目つぶりでないと判断して、当該顔画像情報が適正であると判定すると（ステップＳ３；Ｙｅｓ）、ＣＰＵ２１１は、確定プログラム２１３３を実行して、当該顔画像情報を確定する（ステップＳ４）。
【００４９】
また、顔画像情報の取得と別個に、オペレータによるＩＣカード作成端末２のＩＤ番号読取装置２２に対する所定の操作（読取開始ボタンの押下など）に基づいて、ＩＤ番号読取装置２２により申請書からＩＤ番号が読み取られて（ステップＳ５）、ＥＷＳ２１に出力されると、ＥＷＳ２１は、当該ＩＤ番号を、ホストコンピュータ１に送信する（ステップＳ６）。
【００５０】
ＥＷＳ２１から送信されたＩＤ番号を受信すると（ステップＳ７）、ホストコンピュータ１は、記憶装置１１に記憶される個人情報データベース１１１から、当該受信したＩＤ番号に対応付けられた住所、氏名、国籍・本籍、生年月日などの個人情報（ＩＤ番号を含む）を取得する（ステップＳ８）。
【００５１】
次いで、ホストコンピュータ１は、ステップＳ８で取得した個人情報を、ＩＣカード作成端末２に送信する（ステップＳ９）。
【００５２】
ホストコンピュータ１から送信された個人情報を受信すると（ステップＳ１０）、ＩＣカード作成端末２のＥＷＳ２１は、ＲＡＭ２１２に、当該受信した個人情報を記憶させる（ステップＳ１１）。
【００５３】
次いで、ＥＷＳ２１は、ステップＳ４で確定した顔画像情報と、ステップＳ１１で記憶させた個人情報とを、真贋判定情報生成装置３に送信するとともに（ステップＳ１２）、ステップＳ１及びＳ５の処理に移行する。
【００５４】
ＥＷＳ２１から送信された顔画像情報と個人情報とを受信すると（ステップＳ１３）、真贋判定情報生成装置３は、所定のアルゴリズムに基づいて、当該受信した顔画像情報と個人情報とにより、真贋判定情報を生成する（ステップＳ１４）。
【００５５】
次いで、真贋判定情報生成装置３は、ステップＳ１３で受信した顔画像情報と個人情報と、ステップＳ１４で生成した真贋判定情報とを、ＩＣカード作成端末２に送信する（ステップＳ１５）。
【００５６】
真贋判定情報生成装置３から送信された顔画像情報と個人情報と真贋判定情報とを受信すると（ステップＳ１６）、ＩＣカード生成端末２のＥＷＳ２１は、記憶部２１３の記録情報データベース２１３１に、当該受信した顔画像情報と個人情報と真贋判定情報とを、互いに対応付けて記憶させる（ステップＳ１７）。
【００５７】
次いで、ＥＷＳ２１は、ステップＳ１７で記憶させた顔画像情報と個人情報と真贋判定情報とを、ＩＣカード発行端末４に送信する（ステップＳ１８）。
【００５８】
ＥＷＳ２１から送信された顔画像情報と個人情報と真贋判定情報とを受信すると（ステップＳ１９）、ＩＣカード発行端末４のＥＷＳ４１は、ＩＣカード発行装置４２のプリント部４２１に、ＩＣカードの表面に対して、当該受信した顔画像情報と個人情報とに基づく画像をプリントさせる（ステップＳ２０）。
【００５９】
次いで、ＥＷＳ４１は、ＩＣカード発行装置４２の記録部４２２に、ＩＣカードに組み込まれたＩＣチップに対して、ステップＳ１９で受信した顔画像情報と個人情報と真贋判定情報とを記録させ（ステップＳ２１）、本処理を終了する。
【００６０】
以上説明した本発明のＩＣカード発行システムＳ及びＩＣカード発行方法によれば、個人情報データベース１１１によって、個人情報を記憶することができ、ＩＣカード作成端末２のビデオカメラ２３１によって、顔画像情報を取得することができ、ＩＣカード作成端末２のＥＷＳ２１のＣＰＵ２１１が確定プログラム２１３３を実行することによって、ビデオカメラ２３１により取得された顔画像情報を確定することができる。そして、真贋判定情報生成装置３によって、所定のアルゴリズムに基づいて、個人情報データベース１１１に記憶された個人情報と、ＣＰＵ２１１の確定プログラム２３１１の実行により確定された顔画像情報とにより、ＩＣカードの真贋判定情報を生成することができる。さらに、ＩＣカード発行端末４のＩＣカード発行装置４２のプリント部４２１によって、個人情報データベース１１１に記憶された個人情報と、ＣＰＵ２１１の確定プログラム２１３３の実行により確定された顔画像情報とに基づく画像を、ＩＣカードにプリントすることができ、ＩＣカード発行端末４のＩＣカード発行装置４２の記録部４２２によって、個人情報データベース１１１に記憶された個人情報と、ＣＰＵ２１１の確定プログラム２３１１の実行により確定された顔画像情報と、真贋判定情報生成装置３により生成された真贋判定情報とを、ＩＣカードに組み込まれたＩＣチップに記録することができる。
すなわち、ＩＣカードに組み込まれたＩＣチップに改ざん検出のための真贋判定情報を記録することができるため、ＩＣカード発行システムＳにおいて発行したＩＣカードに記録された情報の真正性を保証することができる。また、ＩＣカードにプリントする顔画像の顔画像情報、ＩＣチップに記録する顔画像情報を確定した後に、真贋判定情報を生成するため、真贋判定情報を適切なタイミングで生成することができる。
また、自動的に、真贋判定情報が、顔画像情報と個人情報とにより生成されて、ＩＣチップに記録されるため、オペレータは、真贋判定情報の生成を意識する必要がない。
【００６１】
また、ＣＰＵ２１１が判定プログラム２１３２を実行することによって、ビデオカメラ２３１により取得された顔画像情報が適正であるか否かを、所定の判断基準、例えば、当該取得された顔画像情報における顔が目つぶりであるか否かの判断により判定することができる。そして、確定プログラム２１３３を実行したＣＰＵ２１１は、ＣＰＵ２１１の判定プログラム２１３２の実行により、顔画像情報が適正であると判定された場合に、例えば、当該顔画像情報における顔画像が目つぶりでないと判断された場合に、当該顔画像情報を確定することができる。
すなわち、自動的に、例えば、顔画像情報における顔が目つぶりであるか否かを判断して、当該顔画像情報が適正であるか否かを判定することができるため、オペレータの操作負担を軽減することができ、さらに、適正な顔画像情報に基づく顔画像をＩＣカードにプリントすることができるとともに、適正な顔画像情報をＩＣチップに記録することができる。
【００６２】
なお、本発明は、上記した実施の形態のものに限るものではなく、その要旨を逸脱しない範囲で適宜変更可能である。
例えば、ステップＳ３（図２）で、ＥＷＳ２１のＣＰＵ２１１が、判定プログラム２１３２を実行することによって、顔画像情報が適正であるか否かを判定するようにしたが、例えば、オペレータが、顔画像情報が適正であるか否かを判定するようにしてもよい。具体的には、画像処理装置２３が、ステップＳ１で取得された顔画像情報に基づく顔画像をＴＶモニタ２３２に表示すると、オペレータは、当該表示された顔画像を見て、適正であるか否かを判定する。そして、適正であると判定した場合には、オペレータは、入力装置２４の所定のキーを押圧することによって、当該顔画像情報を確定する旨を入力し、適正でないと判断した場合には、オペレータは、入力装置２４の所定のキーを押圧することによって、当該顔画像情報を確定しない旨を入力するようにしてもよい。
この場合、オペレータは、ＴＶモニタ２３２によって、ビデオカメラ２３１により取得された顔画像情報が適正であるか否かを判定することができ、顔画像情報が適正であると判定した場合は、入力装置２４によって、確定する旨を入力することができる。そして、確定プログラム２１３３を実行したＣＰＵ２１１は、入力装置２４により、顔画像情報が適正であると判定された場合に、当該顔画像情報を確定することができる。
すなわち、オペレータが、顔画像情報が適正であるか否かを判定して、その判定結果を入力装置２４により入力することができるため、オペレータが所望する適正な顔画像情報に基づく顔画像をＩＣカードにプリントすることができるとともに、オペレータが所望する適正な顔画像情報をＩＣチップに記録することができる。
【００６３】
また、顔画像情報が適正である場合に（顔画像情報における顔が目つぶりでないと判断された場合に、或いは、顔画像情報を確定する旨が入力された場合に）、ＣＰＵ２１１は、確定プログラム２１３３を実行して、顔画像情報を確定するとしたが、この限りではない。例えば、フレームメモリに顔画像情報が格納された時点で、ＣＰＵ２１１は、確定プログラム２１３３を実行して、顔画像情報を確定するようにしてもよい。この場合、顔画像情報が適正であるか否かの判定は、真贋判定情報を生成している最中、或いは、真贋判定情報を生成した後に行われる。そして、顔画像情報が適正でないと判定された場合には、顔画像情報の取得及び確定、真贋判定情報の生成を繰り返す。そして、顔画像情報が適正であると判定された場合には、最後に記録情報データベース２１３１に記憶された顔画像情報と個人情報とに基づく画像をＩＣカードにプリントし、最後に記録情報データベース２１３１に記憶された顔画像情報と個人情報と真贋判定情報とをＩＣチップに記録する。
【００６４】
また、所定の判断基準を、“顔画像情報における顔が、目つぶりであるか否か”としたが、この限りではない。例えば、“顔画像情報における顔が、適正な位置にあるか否か”、“顔画像情報における顔が、いわゆるピンボケなどのない適正な画質であるか否か”などを判断基準としてもよい。
【００６５】
また、ステップＳ１７（図２）で、記録情報データベース２１３１に、顔画像情報と個人情報と真贋判定情報とを記憶するようにしたが、この限りではない。すなわち、記録情報データベース２１３１に、ＩＣカードの発行に好適な顔画像情報と個人情報と真贋判定情報とを、互いに対応付けて記憶することができるのであれば、顔画像情報と個人情報と真贋判定情報は、別個に、適宜なステップで記憶されるようにしてもよい。
また、記録情報データベース２１３１には、ＩＤ番号と顔画像情報と真贋判定情報とを対応付けて記憶するようにして、顔画像情報と真贋判定情報とを、個人情報（ＩＤ番号、住所、氏名…）ではなく、個人情報の中のＩＤ番号のみで管理するようにしてもよい。
【００６６】
また、ステップＳ１９（図２）で、ＩＣカード発行端末４は、記録情報データベース２１３１に記憶された顔画像情報と個人情報と真贋判定情報とを受信するようにしたが、この限りではない。すなわち、ＩＣカード発行端末４が、ＩＣカードの発行に好適な顔画像情報と個人情報と真贋判定情報とを受信することができるのであれば、顔画像情報と個人情報と真贋判定情報は、別個に、適宜なステップで受信するようにしてもよい。
この場合、顔画像情報と個人情報と真贋判定情報の対応付けが明確になるよう、例えば、顔画像情報と真贋判定情報に、対応するＩＤ番号などを付加して、ＩＣカード発行端末４に受信されるようにするとよい。また、ＩＣカード発行端末４が複数ある場合は、顔画像情報と個人情報と真贋判定情報に、ＩＣカード発行端末４を識別する情報を付加して、対応する顔画像情報と個人情報と真贋判定情報とが当該付加された情報によって識別されたＩＣカード発行端末４に集合するようにしてもよい。
また、この場合、例えば、記録情報データベース２１３１を、ＩＣカード作成端末２のＥＷＳ２１の記憶部２１３ではなく、ＩＣカード発行端末４のＥＷＳ４１の記憶部４１３に記憶しておくとよい。
【００６７】
また、ホストコンピュータ１、真贋判定情報生成装置３、ＥＷＳに接続されたＩＤ番号読取装置２２、ＥＷＳに接続された画像処理装置２３、ＥＷＳに接続されたビデオカメラ２３１、ＥＷＳに接続されたＴＶモニタ２３２、ＥＷＳに接続された入力装置２４、ＩＣカード発行端末４が、ネットワークに接続されているのであれば、ＩＣカード発行システムＳの構成は、図１の限りではない。例えば、ＩＣカード作成端末２に、まとめて、ＩＤ番号読取装置２２と画像処理装置２３とビデオカメラ２３１とＴＶモニタ２３２と入力装置２４とを備える必要はない。また、例えば、ＩＣカード作成端末２のＥＷＳ２１にＩＣカード発行装置４２を接続するようにしてもよい。
【図面の簡単な説明】
【００６８】
【図１】本発明の実施の形態におけるＩＣカード発行システムの全体構成を示す図である。
【図２】ＩＣカード発行システムによるＩＣカードの発行に関する処理を説明するためのフローチャートである。
【符号の説明】
【００６９】
１  ホストコンピュータ
２  ＩＣカード作成端末
３  真贋判定情報生成装置（生成手段）
４  ＩＣカード発行端末
２４  入力装置（入力手段）
１１１  個人情報データベース（記憶手段）
２１１  ＣＰＵ（判定手段、確定手段）
２３１  ビデオカメラ（取得手段）
４２１  プリント部（プリント手段）
４２２  記録部（記録手段）
２１３２  判定プログラム（判定手段）
２１３３  確定プログラム（確定手段）
Ｓ  ＩＣカード発行システム
【図１】
2006293895.tif 000003
【図２】
2006293895.tif 000004